【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
品目を推奨する方法であって、
ディスプレイタイプに基づき、いくつかの表示領域を選択することと、
コンテンツ発見プロセスに従って前記表示領域に表示される品目カテゴリを選択することと、を有し、
前記コンテンツ発見プロセスは、前記コンテンツ発見プロセス中、ユーザの品目カテゴリ選択を追跡し、前記表示領域に表示された選択されなかった品目カテゴリを前記表示領域のその後の表示から取り除く多方向探索プロセスと、前記多方向探索プロセス中、前記表示領域に表示されておらず、かつ、以前に選択されなかったものでない少なくとも１つの品目カテゴリを選択する品目カテゴリ選択プロセスと、を有する、方法。
【請求項２】
前記表示領域に前記選択された複数の品目カテゴリを表示することをさらに有する、請求項１に記載の方法。
【請求項３】
ユーザによって選択された品目カテゴリを識別することと、
前記識別された品目カテゴリおよび前記コンテンツ発見プロセスに基づき、前記表示領域に表示された前記複数の品目カテゴリを変更することと、
をさらに有する、請求項２に記載の方法。
【請求項４】
選択された表示領域の数は、異なるディスプレイタイプにより異なる、請求項１に記載の方法。
【請求項５】
前記異なるディスプレイタイプは、ＴＶ、電話およびタブレットの少なくとも１つを含む、請求項４に記載の方法。
【請求項６】
前記ＴＶは、前記タブレットより少ない表示領域を持つ前記電話よりも少ない表示領域を有する、請求項５に記載の方法。
【請求項７】
前記少なくとも１つの品目カテゴリの選択は、前記少なくとも１つの品目カテゴリにおける品目の数にも基づく、請求項１に記載の方法。
【請求項８】
前記少なくとも１つの品目カテゴリにおける品目の数は、前記表示領域に表示されてもおらず、かつ、以前に選択されなかったものでない他の品目カテゴリにおける品目の数よりも多い、請求項７に記載の方法。
【請求項９】
前記多方向探索プロセスおよび品目カテゴリ選択プロセスは、貪欲プロセスである、請求項１に記載の方法。
【請求項１０】
品目を推奨するシステムであって、
ディスプレイタイプに基づき、いくつかの表示領域を選択する手段と、
コンテンツ発見プロセスに従って前記表示領域に表示される品目カテゴリを選択する手段と、を備え、
前記コンテンツ発見プロセスは、前記コンテンツ発見プロセス中、ユーザの品目カテゴリ選択を追跡し、前記表示領域に表示された選択されなかった品目カテゴリを前記表示領域のその後の表示から取り除く多方向探索プロセスと、前記多方向探索プロセス中、前記表示領域に表示されておらず、かつ、以前に選択されなかったものでない少なくとも１つの品目カテゴリを選択する品目カテゴリ選択プロセスと、を有する、システム。
【請求項１１】
前記表示領域に前記選択された複数の品目カテゴリを表示する手段をさらに備えた、請求項１０に記載のシステム。
【請求項１２】
ユーザによって選択された品目カテゴリを識別する手段と、
前記識別された品目カテゴリおよび前記コンテンツ発見プロセスに基づき、前記表示領域に表示された前記複数の品目カテゴリを変更する手段と、
をさらに備えた、請求項１１に記載のシステム。
【請求項１３】
選択された表示領域の数は、異なるディスプレイタイプにより異なる、請求項１０に記載のシステム。
【請求項１４】
前記異なるディスプレイタイプは、ＴＶ、電話およびタブレットの少なくとも１つを含む、請求項１３に記載のシステム。
【請求項１５】
前記ＴＶは、前記タブレットより少ない表示領域を持つ前記電話よりも少ない表示領域を有する、請求項１４に記載のシステム。
【請求項１６】
前記少なくとも１つの品目カテゴリの選択は、前記少なくとも１つの品目カテゴリにおける品目の数にも基づく、請求項１０に記載のシステム。
【請求項１７】
前記少なくとも１つの品目カテゴリにおける品目の数は、前記表示領域に表示されてもおらず、かつ、以前に選択されなかったものでない他の品目カテゴリにおける品目の数よりも多い、請求項１６に記載のシステム。
【請求項１８】
前記多方向探索プロセスおよび品目カテゴリ選択プロセスは、貪欲プロセスである、請求項１０に記載のシステム。
【請求項１９】
品物を推奨する装置であって、
コントローラと、
メモリであって、前記コントローラに、
ディスプレイタイプに基づき、いくつかの表示領域を選択させ、
コンテンツ発見プロセスに従って前記表示領域に表示される品目カテゴリを選択させるように構成される命令を保存するメモリと、を備え、
前記コンテンツ発見プロセスは、前記コンテンツ発見プロセス中、ユーザの品目カテゴリ選択を追跡し、前記表示領域に表示された選択されなかった品目カテゴリを前記表示領域のその後の表示から取り除く多方向探索プロセスと、前記多方向探索プロセス中、前記表示領域に表示されておらず、かつ、以前に選択されなかったものでない少なくとも１つの品目カテゴリを選択する品目カテゴリ選択プロセスと、を有する、装置。
【請求項２０】
前記コントローラは、前記表示領域に前記選択された複数の品目カテゴリをさらに表示する、請求項１９に記載の装置。
【請求項２１】
前記コントローラは、ユーザによって選択された品目カテゴリをさらに識別し、前記識別された品目カテゴリおよび前記コンテンツ発見プロセスに基づき、前記表示領域に表示された前記複数の品目カテゴリを変更する、請求項２０に記載の装置。
【請求項２２】
選択された表示領域の数は、異なるディスプレイタイプにより異なる、請求項１９に記載の装置。
【請求項２３】
前記異なるディスプレイタイプは、ＴＶ、電話およびタブレットの少なくとも１つを含む、請求項２２に記載の装置。
【請求項２４】
前記ＴＶは、前記タブレットより少ない表示領域を持つ前記電話よりも少ない表示領域を有する、請求項２３に記載の装置。
【請求項２５】
前記少なくとも１つの品目カテゴリの選択は、前記少なくとも１つの品目カテゴリにおける品目の数にも基づく、請求項１９に記載の装置。
【請求項２６】
前記少なくとも１つの品目カテゴリにおける品目の数は、前記表示領域に表示されてもおらず、かつ、以前に選択されなかったものでない他の品目カテゴリにおける品目の数よりも多い、請求項２５に記載の装置。
【請求項２７】
前記多方向探索プロセスおよび品目カテゴリ選択プロセスは、貪欲プロセスである、請求項１９に記載の装置。
【手続補正２】
【補正対象書類名】明細書
【補正対象項目名】００５９
【補正方法】変更
【補正の内容】
【００５９】
本開示の教示を考慮した実施形態を詳細に示し記載したが、当業者は、これらの教示を考慮した多くの他の変更実施形態を容易に考案することができる。コンテンツ発見を容易にするシステム、方法、および、ユーザインタフェース（説明目的であり、限定を目的としていない）の好ましい実施形態を記載したが、上記教示を考慮して当業者は、修正および変更を行うことができる。従って、本開示の具体的な実施形態で変更が行われてよく、それらは、本開示の範囲内であることを理解されたい。
［付記１］
品目を推奨する方法であって、
ディスプレイタイプに基づき、いくつかの表示領域を選択するステップ（１４０２）と、
コンテンツ発見プロセスに従って前記表示領域に表示される品目カテゴリを選択するステップ（１４０４）と、
を有する、前記方法。
［付記２］
前記表示領域に前記選択された複数の品目カテゴリを表示するステップをさらに有する、付記１に記載の方法。
［付記３］
ユーザによって選択された品目カテゴリを識別するステップ（７１２）と、
前記識別された品目カテゴリおよび前記コンテンツ発見プロセスに基づき、前記表示領域に表示された前記複数の品目カテゴリを変更するステップ（７１０）と、
をさらに有する、付記２に記載の方法。
［付記４］
選択された表示領域の数は、異なるディスプレイタイプ（１０００、１１００、１２００）により異なる、付記１に記載の方法。
［付記５］
前記異なるディスプレイタイプは、ＴＶ、電話およびタブレットの少なくとも１つを含む、付記４に記載の方法。
［付記６］
前記ＴＶは、前記タブレットより少ない表示領域を持つ前記電話よりも少ない表示領域を有する、付記５に記載の方法。
［付記７］
前記コンテンツ発見プロセスは、
前記コンテンツ発見プロセス中、ユーザの品目カテゴリ選択を追跡し、前記表示領域に表示された選択されなかった品目カテゴリを前記表示領域のその後の表示から取り除く多方向探索プロセス（７００）と、
前記多方向探索プロセス（７００）中、前記表示領域に表示されておらず、かつ、以前に選択されなかったものでない少なくとも１つの品目カテゴリを選択する品目カテゴリ選択プロセス（９００）と、
を有する、付記１に記載の方法。
［付記８］
前記少なくとも１つの品目カテゴリの選択は、前記少なくとも１つの品目カテゴリにおける品目の数にも基づく、付記７に記載の方法。
［付記９］
前記少なくとも１つの品目カテゴリにおける品目の数は、前記表示領域に表示されてもおらず、かつ、以前に選択されなかったものでない他の品目カテゴリにおける品目の数よりも多い、付記８に記載の方法。
［付記１０］
前記多方向探索プロセス（７００）および品目カテゴリ選択プロセス（９００）は、貪欲プロセスである、付記７に記載の方法。
［付記１１］
品目を推奨するシステムであって、
ディスプレイタイプに基づき、いくつかの表示領域を選択する（１４０２）手段と、
コンテンツ発見プロセスに従って前記表示領域に表示される品目カテゴリを選択する（１４０４）手段と、
を備えた、前記システム。
［付記１２］
前記表示領域に前記選択された複数の品目カテゴリを表示する手段をさらに備えた、付記１１に記載のシステム。
［付記１３］
ユーザによって選択された品目カテゴリを識別する手段（７１２）と、
前記識別された品目カテゴリおよび前記コンテンツ発見プロセスに基づき、前記表示領域に表示された前記複数の品目カテゴリを変更する手段（７１０）と、
をさらに備えた、付記１２に記載のシステム。
［付記１４］
選択された表示領域の数は、異なるディスプレイタイプ（１０００、１１００、１２００）により異なる、付記１１に記載のシステム。
［付記１５］
前記異なるディスプレイタイプは、ＴＶ、電話およびタブレットの少なくとも１つを含む、付記１４に記載のシステム。
［付記１６］
前記ＴＶは、前記タブレットより少ない表示領域を持つ前記電話よりも少ない表示領域を有する、付記１５に記載のシステム。
［付記１７］
前記コンテンツ発見プロセスは、
前記コンテンツ発見プロセス中、ユーザの品目カテゴリ選択を追跡し、前記表示領域に表示された選択されなかった品目カテゴリを前記表示領域のその後の表示から取り除く多方向探索プロセス（７００）と、
前記多方向探索プロセス（７００）中、前記表示領域に表示されておらず、かつ、以前に選択されなかったものでない少なくとも１つの品目カテゴリを選択する品目カテゴリ選択プロセス（９００）と、
を有する、付記１１に記載のシステム。
［付記１８］
前記少なくとも１つの品目カテゴリの選択は、前記少なくとも１つの品目カテゴリにおける品目の数にも基づく、付記１７に記載のシステム。
［付記１９］
前記少なくとも１つの品目カテゴリにおける品目の数は、前記表示領域に表示されてもおらず、かつ、以前に選択されなかったものでない他の品目カテゴリにおける品目の数よりも多い、付記１８に記載のシステム。
［付記２０］
前記多方向探索プロセス（７００）および品目カテゴリ選択プロセス（９００）は、貪欲プロセスである、付記１７に記載のシステム。